(57)【要約】【課題】  新たな空調機の追加を必要とせず、快適性の維持と省エネ効果の向上とを両立させた空調制御を行うことが可能な、空調制御システムおよびこれに利用する給気切替コントローラ、空調制御方法を提供する。【解決手段】  空調制御対象の室内２毎に対応して設置された空調機１０に接続された給気切替コントローラ３０により、予め設定された切り替え間隔で、空調機１０に設けられた、空調機１０への外気の取り込み量を調整する第１ダンパー１２を開くとともに室内からの還気の取り込み量を調整する第２ダンパー１３を閉じることで外気を空調機の温湿度調整コイルに取り込ませる外気制御と、第１ダンパー１２を閉じるとともに第２ダンパー１３を開くことで室内２からの還気を空調機１０の冷水コイル１１に取り込ませる還気制御とを交互に切り替える。【選択図】  図１
2010019506.tif 000002
【特許請求の範囲】
【請求項１】
制御対象の空気の温度および湿度の調整処理を行う温湿度調整コイルと、
室外空間と前記温湿度調整コイルとを連結する空気配管に設置され、外気の取り込み量を調整する第１ダンパーと、
空調制御対象の室内の空間と前記温湿度調整コイルとを連結する空気配管に設置され、前記室内からの還気の取り込み量を調整する第２ダンパーと、
予め設定された切り替え間隔で、前記第１ダンパーを開くとともに前記第２ダンパーを閉じることで外気を前記温湿度調整コイルに取り込ませる外気制御と、前記第１ダンパーを閉じるとともに前記第２ダンパーを開くことで前記室内からの還気を前記温湿度調整コイルに取り込ませる還気制御とを交互に切り替えるダンパー制御部と
を備えることを特徴とする空調制御システム。
【請求項２】
前記空調制御システムは、前記温湿度調整コイルに供給する冷温水の流量を調整するバルブと、
前記ダンパー制御部において前記外気制御に切り替えられたときには前記外気制御に対応した流量の冷温水が前記温湿度調整コイルに供給されるように前記バルブの開度を制御し、前記ダンパー制御部において前記還気制御に切り替えられたときには前記還気制御に対応した流量の冷温水が前記温湿度調整コイルに供給されるように前記バルブの開度を制御するバルブ制御部と
をさらにを有することを特徴とする請求項１に記載の空調制御システム。
【請求項３】
前記ダンパー制御部は、前記外気制御と前記還気制御とを１回ずつ切り替えた後、所定時間前記温湿度調整コイルの動作を休止させるために前記第１ダンパーおよび前記第２ダンパーを所定時間閉じるように制御する
ことを特徴とする請求項１または２に記載の空調制御システム。
【請求項４】
前記ダンパー制御部は、前記外気制御を行う際に、前記室内で必要とする外気換気量に基づいて算出された開度で前記第１ダンパーを開くように制御する
ことを特徴とする請求項１〜３いずれか１項に記載の空調制御システム。
【請求項５】
供給する空気の量を可変とする変風量制御が実行されているときには、
前記バルブ制御部は、前記ダンパー制御部において前記外気制御が行われているときと、前記還気制御が行われているときとに対してそれぞれ設定された一定流量で、冷温水が前記温湿度調整コイルに供給されるように制御する
ことを特徴とする請求項１〜４いずれか１項に記載の空調制御システム。
【請求項６】
前記空調制御システム内の設備の全消費エネルギーが最小となるように、設定される給気温度および給気湿度の目標値を算出する空調機設定値算出部と、
前記空調機設定値算出部で算出された給気温度および給気湿度の目標値を前記バルブ制御部に送信する設定値送信部と、
をさらに有し、
前記バルブ制御部は、前記設定値送信部から送信された前記給気温度および給気湿度の目標値に基づいて、前記外気制御時および還気制御時の前記バルブの開度を制御する
ことを特徴とする請求項２〜５いずれか１項に記載の空調制御システム。
【請求項７】
予め設定された快適性指標の目標設定範囲を記憶する快適性指標範囲記憶部をさらに有し、
前記空調機設定値算出部は、
前記快適性指標範囲記憶部に記憶された快適性指標の目標設定範囲の中で、前記全消費エネルギーが最小になるように、前記給気温度および給気湿度の目標値を算出する
ことを特徴とする請求項６に記載の空調制御システム。
【請求項８】
空調制御対象の室内あるいは室内の制御ゾーン毎に対応して設置された空調機に接続され、
予め設定された切り替え間隔で、前記空調機に設けられた、前記空調機への外気の取り込み量を調整する第１ダンパーを開くとともに前記室内からの還気の取り込み量を調整する第２ダンパーを閉じることで外気を前記空調機の温湿度調整コイルに取り込ませる外気制御と、前記第１ダンパーを閉じるとともに前記第２ダンパーを開くことで前記室内からの還気を前記空調機の温湿度調整コイルに取り込ませる還気制御とを交互に切り替えるダンパー制御部
を備えることを特徴とする給気切替コントローラ。
【請求項９】
前記ダンパー制御部は、前記外気制御と前記還気制御とを１回ずつ切り替えた後、所定時間前記空調機の前記温湿度調整コイルの動作を休止させるために前記第１ダンパーおよび前記第２ダンパーを所定時間閉じるように制御する
ことを特徴とする請求項８に記載の給気切替コントローラ。
【請求項１０】
前記ダンパー制御部は、前記外気制御を行う際に、前記室内で必要とする外気換気量に基づいて算出された開度で前記第１ダンパーを開くように制御する
ことを特徴とする請求項８または９に記載の給気切替コントローラ。
【請求項１１】
空調制御対象の室内あるいは室内の制御ゾーン毎に対応して設置された空調機に接続された給気切替コントローラが、
予め設定された切り替え間隔で、前記空調機に設けられた、前記空調機への外気の取り込み量を調整する第１ダンパーを開くとともに前記室内からの還気の取り込み量を調整する第２ダンパーを閉じることで外気を前記空調機の温湿度調整コイルに取り込ませる外気制御と、前記第１ダンパーを閉じるとともに前記第２ダンパーを開くことで前記室内からの還気を前記空調機の温湿度調整コイルに取り込ませる還気制御とを交互に切り替える
ことを特徴とする空調制御方法。
【請求項１２】
前記空調機の温湿度調整コイルに供給する冷温水の流量を調整するバルブ、および前記給気切替コントローラに接続された冷温水流量コントローラが、
前記給気切替コントローラにおいて前記外気制御に切り替えられたときには前記外気制御に対応した流量の冷温水が前記温湿度調整コイルに供給されるように前記バルブの開度を制御し、前記給気切替コントローラのダンパー制御部において前記還気制御に切り替えられたときには前記還気制御に対応した流量の冷温水が前記温湿度調整コイルに供給されるように前記バルブの開度を制御する
ことを特徴とする請求項１１に記載の空調制御方法。
【請求項１３】
前記給気切替コントローラが、
前記外気制御と前記還気制御とを１回ずつ切り替えた後、所定時間前記空調機の前記温湿度調整コイルの動作を休止させるために前記第１ダンパーおよび前記第２ダンパーを所定時間閉じるように制御する
ことを特徴とする請求項１１または１２に記載の空調制御方法。
【請求項１４】
前記給気切替コントローラが、
前記外気制御を行う際に、前記室内で必要とする外気換気量に基づいて算出された開度で前記第１ダンパーを開くように制御する
ことを特徴とする請求項１１〜１３いずれか１項に記載の空調制御方法。
【請求項１５】
前記空調機から供給される空気の量を可変とする変風量制御が実行されているときに、前記冷温水流量コントローラが、
前記外気制御が行われているときと、前記還気制御が行われているときとに対してそれぞれ設定された一定流量で、冷温水が前記温湿度調整コイルに供給されるように制御する
ことを特徴とする請求項１１〜１４いずれか１項に記載の空調制御方法。
【発明の詳細な説明】
【技術分野】
【０００１】
本発明は、オフィスや病院等の空調を制御する空調制御システムおよびこれに利用する給気切替コントローラ、空調制御方法に関する。
【背景技術】
【０００２】
人体の温熱感には、室温、室内湿度、平均輻射温度、活動量、着衣量、気流速度など、複数の因子が影響を与えている。
【０００３】
しかし通常事務所ビル内の人の居る場所においては、気流速度は０．１ｍ／ｓ以下であるので温熱感への影響がほとんどない。また、着衣量は夏や冬等の季節により固定され、活動量は事務用ビルやデパート等のようにビル用途によりある程度決まっている。さらに、平均輻射温度は、窓側以外ではほぼ室温に追従する。
【０００４】
従って、上記の各因子について検討すると、室温を除けば、湿度が人の快適性に大きく影響することになる。
【０００５】
人が感じる快適性を満たすための室温と湿度との関係を、図３に示す。この図３では、人が感じる快適性を数値で示した快適性指数（ＰＭＶ）が快適範囲内である０．３〜０．５（省エネを考慮した夏季冷房時）を満たすための、室温と湿度との組み合わせを範囲Ａで示している。
【０００６】
この範囲Ａで示すように、湿度をある程度下げることで、室温を必要以上に下げることなく快適性を得ることができる。
【０００７】
しかし、多くの事務所ビル等の空調制御は、ほとんどが室温制御のみであって、湿度については何ら考慮されていないのが実情である。
【０００８】
なぜならば、冷房時に湿度も制御しようとした場合、冷水コイルにて処理対象空気が減湿される際には温度が過剰に冷却されるため、給気温度を調整するために加熱コイルにおける空気の再熱サイクル過程が必要となり、結果として温度制御だけの場合に比べて非常に大きなエネルギーを消費する為である。
【０００９】
そこで、以上のような問題を解決するために、空調機に外気の除湿を行う直膨コイルを付加した空調制御装置が特許文献１に提案されている。
【００１０】
この空調機は、図４に示すように、外気を導入して除湿する直膨コイル４１と、空調制御された室内からのリターン空気（還気）を冷却して室内への給気温度を調節する冷水コイル４２と、直膨コイル４１で除湿された外気と冷温水コイル４２で冷却された還気との混合空気を空調制御対象の室内へ供給する給気ファン４３とを備えて外気の除湿と還気の冷却とを独立して行うことにより、省エネルギー化を図りつつ、快適性を維持した空調制御を行うことが可能になる。
【特許文献１】特開２００６−２９２３００号公報
【発明の開示】
【発明が解決しようとする課題】
【００１１】
しかし、上記の特許文献１の技術を利用した空調機は、直膨コイルの追加、及びそれに伴う空気ダクト、水配管等の変更・追加が必要であり、従来の空調機をそのまま使うことができずコストがかかるという問題があった。
【００１２】
本発明は上記事情に鑑みてなされたもので、新たな空調機の追加を必要とせず、快適性の維持と省エネ効果の向上とを両立させた空調制御を行うことが可能な、空調制御システムおよびこれに利用する給気切替コントローラ、空調制御方法を提供することを目的とする。
【課題を解決するための手段】
【００１３】
上記目的を達成するための本発明の空調制御システムは、制御対象の空気の温度および湿度の調整処理を行う温湿度調整コイルと、室外空間と前記温湿度調整コイルとを連結する空気配管に設置され、外気の取り込み量を調整する第１ダンパーと、空調制御対象の室内の空間と前記温湿度調整コイルとを連結する空気配管に設置され、前記室内からの還気の取り込み量を調整する第２ダンパーと、予め設定された切り替え間隔で、前記第１ダンパーを開くとともに前記第２ダンパーを閉じることで外気を前記温湿度調整コイルに取り込ませる外気制御と、前記第１ダンパーを閉じるとともに前記第２ダンパーを開くことで前記室内からの還気を前記温湿度調整コイルに取り込ませる還気制御とを交互に切り替えるダンパー制御部とを備えることを特徴とする。
【００１４】
また、本発明の給気切替コントローラは、空調制御対象の室内あるいは室内の制御ゾーン毎に対応して設置された空調機に接続され、予め設定された切り替え間隔で、前記空調機に設けられた、前記空調機への外気の取り込み量を調整する第１ダンパーを開くとともに前記室内からの還気の取り込み量を調整する第２ダンパーを閉じることで外気を前記空調機の温湿度調整コイルに取り込ませる外気制御と、前記第１ダンパーを閉じるとともに前記第２ダンパーを開くことで前記室内からの還気を前記空調機の温湿度調整コイルに取り込ませる還気制御とを交互に切り替えるダンパー制御部を備えることを特徴とする。
【００１５】
また、本発明の空調制御方法は、空調制御対象の室内あるいは室内の制御ゾーン毎に対応して設置された空調機に接続された給気切替コントローラが、予め設定された切り替え間隔で、前記空調機に設けられた、前記空調機への外気の取り込み量を調整する第１ダンパーを開くとともに前記室内からの還気の取り込み量を調整する第２ダンパーを閉じることで外気を前記空調機の温湿度調整コイルに取り込ませる外気制御と、前記第１ダンパーを閉じるとともに前記第２ダンパーを開くことで前記室内からの還気を前記空調機の温湿度調整コイルに取り込ませる還気制御とを交互に切り替えることを特徴とする。
【発明の効果】
【００１６】
本発明の空調制御システムおよびこれに利用する給気切替コントローラ、空調制御方法によれば、直膨コイル等の新たな空調機の追加を必要とせず、快適性の維持と省エネ効果の向上とを両立させた空調制御を行うことができる。
【発明を実施するための最良の形態】
【００１７】
本発明の給気切替コントローラを利用した空調制御システムの実施形態について、図面を参照して説明する。なお、最近の多くのオフィスビル等は断熱性が良くＰＣやＯＡ機器が多いため、年間を通して冷房モードであるので、以下の各実施形態においては冷房モードで空調制御を行う場合について説明する。
【００１８】
〈一実施形態による空調制御システムの構成〉
本発明の一実施形態による空調制御システム１の全体図を、図１に示す。
【００１９】
なお、大型ビルの場合、室内が大きいので室内を複数の制御ゾーンに分けて、それぞれの制御ゾーン毎に対応して、複数の空調機を室内の近傍の機械室に設置する。このような場合でも以下では簡略のため各制御ゾーンも室内と呼ぶことにする。
【００２０】
空調制御システム１は空調対象の室内２の空調を制御するものであり、室内２ごとに設置された空調機１０と、各空調機１０へ供給する冷水を一括製造管理する中央熱源装置２０と、各空調機１０で空調制御処理を行う対象の空気を外気と室内２の還気とで切り替えるダンパー制御部としての給気切替コントローラ３０と、中央熱源装置２０から各空調機１０に供給する冷水の流量を制御するバルブ制御部としての冷水流量コントローラ４０とを有する。
【００２１】
空調機１０は、制御対象の空気の除湿・冷却処理を行う温湿度調整コイルとしての冷水コイル１１と、室外空間と冷水コイル１１とを連結する空気配管に設置され、外気の取り込み量を調整する第１ダンパー１２と、室内２空間と冷水コイル１１とを連結する空気配管に設置され、室内２からの還気の取り込み量を調整する第２ダンパー１３と、室内２空間と室外空間とを連結する空気配管に設置され、室内２から室外へ放出する排気の量を調整する第３ダンパー１４とを有する。
【００２２】
中央熱源装置２０は、冷却水を利用して空調機１０に提供する冷水を生成する冷凍機２１と、冷凍機２１を冷却して温度が上昇した冷却水を、再利用するため空気で冷却する冷却塔２２と、冷凍機２１から空調機１０に供給する冷水の流量を開度で調整するバルブ２３とを有する。また、図示しないが、これらの冷凍機２１や冷却塔２２において冷水や冷却水を駆動するポンプおよび、冷却塔２２において外気を取り込むファンも有している。
【００２３】
給気切替コントローラ３０は、予め設定された切り替え間隔で第１ダンパー１２、第２ダンパー１３、および第３ダンパー１４の開閉を制御することにより、空調機１０に取り込まれる制御対象の空気を外気と還気とで切り替え、室内２に供給する給気量に応じて必要量の制御対象の空気が空調機１０に取り込まれるように制御する。例えば、空調機１０に外気を取り込むときには第１ダンパー１２および第３ダンパー１４を必要に応じた開度で開くとともに第２ダンパー１３を閉じ、空調機１０に還気を取り込むときには第１ダンパー１２を閉じるとともに第２ダンパー１３および第３ダンパー１４を必要に応じた開度で開くことで、外気または還気の空調機１０への取り込み量を制御する。
【００２４】
この切り替え間隔は、空調制御対象の室内２の室温に影響を与えない程度の時間であり、例えば５分間隔で設定される。
【００２５】
冷水流量コントローラ４０は、給気切替コントローラ３０に予め設定された外気と還気との切り替え間隔に伴って、中央熱源装置２０のバルブ２３の開度を制御する。例えば、給気切替コントローラ３０において空調機１０に外気が取り込まれるように制御が行われているときには空調機１０に供給される冷水流量が多くなるように開度を上げ、空調機１０に還気が取り込まれるように制御が行われているときには空調機１０に供給される冷水流量が少なくなるように開度が下げるように制御する。
【００２６】
〈一実施形態による空調制御システムの動作〉
本実施形態における空調制御システム１の動作について、図２のシーケンス図を参照して説明する。
【００２７】
本実施形態においては、予め給気切替コントローラ３０に、外気と還気とが５分間隔で切り替えられて空調機１０に取り込まれるように切り替え間隔が設定されているものとする。
【００２８】
まず、空調機１０に電源が投入され室内２の空調制御が開始されると（Ｓ１）、給気切替コントローラ３０の制御により第１ダンパー１２が閉じられるとともに第２ダンパー１３および第３ダンパー１４がそれぞれ必要な給気量に応じた開度で開かれることで、空調制御対象の室内２の還気が空調機１０に所定量取り込まれ、冷水コイル１１に供給される（Ｓ２）。
【００２９】
また、給気切替コントローラ３０により冷水コイル１１で還気が取り込まれるように制御されると、冷水流量コントローラ４０により還気制御に対応した流量の冷水が冷水コイル１１に供給されるように中央熱源装置２０のバルブ２３の開度が制御される（Ｓ３）。
【００３０】
冷水流量コントローラ４０によるこのバルブ２３の開度の制御は、室内２において計測された温度計測値、湿度計測値に基づいて制御値が算出され行われる。
【００３１】
冷水コイル１１では、取り込まれた室内２の還気が供給された冷水により所定温度に冷却され（Ｓ４）、給気として再度室内２に供給される（Ｓ５）。
【００３２】
ここで、事務所の始業時刻前などの空調機１０が立ち上げられてから一定時間は、室内にほとんど人がおらずＣＯ2濃度が低いためまだ外気で換気する必要がなく、省エネを図るために室内２の還気制御のみが行われる。
【００３３】
次に、この還気制御のみを行う一定時間経過後、給気切替コントローラ３０に予め設定された切り替え間隔である５分が経過すると、給気切替コントローラ３０の制御により第１ダンパー１２および第３ダンパー１４が必要に応じた開度で開かれるとともに第２ダンパー１３が閉じられることで、空調機１０に取り込まれる空気が室内２の還気から外気に切り替えられる（Ｓ６）。
【００３４】
このダンパーの開度は、１時間（3,600sec）あたりの外気が取り込まれる時間をｍ（sec）、外気が取り込まれていない時間を3,600-ｍ（sec）とすると、外気の制御が行われるときの室内２への最小給気流量が必要外気換気量の（3,600／ｍ）倍となるように設定される。
【００３５】
例えば、上記のように５分間隔で還気と外気とが交互に空調機１０に取り込まれる際は、外気が取り込まれる時間が1,800（sec）であり、外気の制御が行われるときの室内２への最小給気流量は、必要外気換気量の２倍となるように第１ダンパー１２の開度が設定される。
【００３６】
この必要外気換気量は、例えば建築基準法施行令第２０条の２第２号に基づいて算出され、下記式（１）により求められる。
【００３７】
〔数１〕
必要外気換気量 V(m3/h)＝２０×床面積 S(m2)／一人当たりの占有面積 N(m2)…(1)
ここで、S／Nは在室人数を表すため、結局一人あたり２０(m3／h)の外気換気量が必要である。
【００３８】
上記式（１）において、在室人数が確定していない場合には、建築用途別の一人当たりの占有面積の標準数値（例えば、事務所：５m2、ホテル：１０m2、百貨店：２m2）を用いて必要外気換気量を算出するようにしてもよい。
【００３９】
このようにダンパーの開度が制御され、給気切替コントローラ３０により冷水コイル１１で外気が取り込まれるように切り替えられると、冷水流量コントローラ４０により外気制御に対応した流量の冷水が冷水コイル１１に供給されるように中央熱源装置２０のバルブ２３の開度が制御される（Ｓ７）。
【００４０】
冷水コイル１１では、取り込まれた外気が供給された冷水により除湿され（Ｓ８）、給気として室内２に供給される（Ｓ９）。
【００４１】
そして空調機１０に取り込まれる空気が外気に切り替えられてからさらに切り替え間隔である５分が経過すると、再度給気切替コントローラ３０の制御により第１ダンパー１２が閉じられるとともに第２ダンパー１３および第３ダンパー１４が必要に応じた開度で開かれることで、空調機１０に取り込まれる空気が外気から室内２の還気に再び切り替えられる（Ｓ１０）。
【００４２】
また、給気切替コントローラ３０により冷水コイル１１で還気が取り込まれるように切り替えられると、ステップＳ３に戻り、還気制御に対応した流量の冷水が冷水コイル１１に供給され、取り込まれた還気が冷却され給気として室内２に供給されるように制御される。
【００４３】
このように、予め給気切替コントローラ３０に設定された切り替え間隔である５分ごとに還気と外気とが切り替えられ、交互に繰り返し空調機１０に取り込まれることにより、１つの冷水コイル１１で還気の冷却と外気の除湿とが別々に行われる。
【００４４】
ここで、還気と外気とが予め設定された切り替え間隔で１回ずつ切り替えられ空調機１０に取り込まれた後、予め設定された時間（ｎ分間）空調機１０のダンパー１２および１３を閉じて冷水コイル１１の動作を休止させる間欠運転を行うことにより、省エネ効果を高めるようにしてもよい。この休止させる時間は、空調制御対象の室内２の室温に影響を与えない程度の時間（例えば５分間）で設定する。
【００４５】
また、上記の空調制御システム１において、ＶＡＶ（Variable Air Volume；変風量）制御を行う場合には、空調機１０に外気が取り込まれているときと、還気が取り込まれているときの冷水コイル１１へ供給される冷水流量の一定値が、冷水流量コントローラ４０によりそれぞれ最適な値に切り替えられる。
【００４６】
また、本実施形態による空調制御システム１内に、空調制御システム１内の消費エネルギー値を管理するシステム制御装置（図示せず）がさらに設置され、このシステム制御装置の制御により当該空調制御システム１内の全消費エネルギーを最小化するように、空調機１０に設定される給気温度および給気湿度の目標値が設定されるとともにこれらの目標値に基づいて冷水流量コントローラ４０等の諸動力コントローラが制御された状態で、上記のように空調機１０において還気の冷却と外気の除湿とが交互に行われることにより、さらに省エネ効果を向上させることができる。
【００４７】
この空調制御システム１内の全消費エネルギーは、下記式（２）で表される。
【００４８】
〔数２〕
全消費エネルギー＝冷却塔消費エネルギー＋冷凍機消費エネルギー＋冷水コイル消費
エネルギー＋ポンプ消費エネルギー＋ファン消費エネルギー…(2)
また、地域冷暖房（District Heating and Cooling：ＤＨＣ）において本空調制御システム１を適用する場合には、中央熱源装置２０がなく、冷・温水は外部から供給されるため、この場合の全消費エネルギーは下記式（３）で表される。
【００４９】
〔数３〕
全消費エネルギー＝冷水コイル消費エネルギー＋ポンプ消費エネルギー＋ファン消費
エネルギー…(3)
空調制御システム１内のこれらの全消費エネルギーが最小になるように空調機１０に設定される給気温度および給気湿度の目標値を算出する方法については、特願２００７−０７０９２３号明細書に記載されたように、空調制御に用いる各種センサの出力値から空調最適化に必要な状態量、例えば部屋内発生熱量、部屋内発生水蒸気量、熱交換器の総括伝熱係数と伝熱面積との積等の物理量を推定することで、空調システム全体を見通した最適な制御を可能にする手法がある。また、特願２００７−０９８５５１号明細書等に記載されたように、初期段階において現状の熱源機と冷水コイルとの間の熱交換量から暫定的な総空調負荷を算出し、この総空調負荷を変数として空調システムの最適運転状態量に基づいて空調システムの空調機器を制御し、空調制御対象空間の空気状態が設定された空調条件にほぼ一致したとき、真の総空調負荷を算出し最適運転状態量を決定することにより空調を効率的に運転でき、空調のシステムの省エネ化を実現する手法がある。
【００５０】
このように算出された給気温度および給気湿度の目標値は、システム制御装置から空調機１０に送信され、空調機１０では、システム制御装置から受信した給気温度および給気湿度の目標値に基づいて、制御対象の空気の温度および湿度の調整処理が行われる。
【００５１】
また、本実施形態において上記のように空調機１０において還気と外気とが交互に冷却、除湿される際に、空調制御対象の室内２のＰＭＶ（Predicted Mean Vote）で示される値が快適な範囲内（例えば−０．５〜＋０．５）になるようにシステム内の各装置の制御目標値が設定された状態で行われるようにすることにより、居住者の快適性を犠牲にすることなく、大幅な省エネを達成することができる。
【００５２】
なお、本願発明は上記実施の形態に限定されるものではなく、その要旨を逸脱しない範囲で種々変形して実施できるものである。例えば本実施形態においては、外気制御、還気制御共に５分ずつ行う場合について説明したが、必要に応じて外気制御と還気制御の時間が異なるように設定してもよい。
【００５３】
以上の本実施形態の空調制御システムによれば、新たな空調機の追加を必要とせず、快適性の維持と省エネ効果の向上とを両立させた空調制御を行うことができる。
【図面の簡単な説明】
【００５４】
【図１】本発明の一実施形態による空調制御システムの構成を示す全体図である。
【図２】本発明の一実施形態による空調制御システムの動作を示すシーケンス図である。
【図３】従来の快適性（ＰＭＶ０．３〜０．５）を満たすための室温と湿度との関係を示すグラフである。
【図４】従来の温度と湿度を独立に制御できる空調機の構成を示す構成図である。
【符号の説明】
【００５５】
１…空調制御システム
２…室内
１０…空調機
１１…冷水コイル
１２…第１ダンパー
１３…第２ダンパー
１４…第３ダンパー
２０…中央熱源装置
２１…冷凍機
２２…冷却塔
２３…バルブ
３０…給気切替コントローラ（ダンパー制御部）
４０…冷水流量コントローラ（バルブ制御部）
【図１】
2010019506.tif 000003
【図２】
2010019506.tif 000004
【図３】
2010019506.tif 000005
【図４】
2010019506.tif 000006